(57)【要約】【課題】現在の状態が探針を何れの端子にも接触しない回路オープン状態、即ち、測定待機状態であるか否かが分からない。【解決手段】携帯型電気テスト装備に関するものであり、探針と、測定対象物の接地端に接続するための接地接続手段と、前記探針に印加される電圧が入力される電圧入力部と、前記電圧入力部に所定のレベルのテスト電圧を印加すると共に、前記電圧入力部から入力される電圧レベルが零電位以下であればグラウンド表示を、テスト電圧レベルであれば測定待機状態表示を、設定基準電圧以上であれば検出された電圧レベルの表示を行うための制御信号を出力する制御部と、前記制御部からの制御信号に応じて表示を行う表示手段とを含んで構成されるものである。【選択図】図３
2007512527.tif 000002
【特許請求の範囲】
【請求項１】
携帯型電気テスト装備であって、
探針と、
測定対象物の接地端に接続するための接地接続手段と、
前記探針に印加される電圧が入力される電圧入力部と、
前記電圧入力部に所定のレベルのテスト電圧を印加すると共に、前記電圧入力部から入力される電圧レベルが零電位以下であればグラウンド表示を、テスト電圧レベルであれば測定待機状態表示を、設定基準電圧以上であれば検出された電圧レベルの表示を行うための制御信号を出力する制御部と、
前記制御部からの制御信号に応じて表示を行う表示手段とを含んで構成されることを特徴とする携帯型電気テスト装備。
【請求項２】
前記表示手段は、セグメント表示部を含むことを特徴とする請求項１に記載の携帯型電気テスト装備。
【請求項３】
前記表示手段は、検出された電圧の範囲に応じて各々点灯する複数の発光素子を含むことを特徴とする請求項１に記載の携帯型電気テスト装備。
【請求項４】
前記表示手段は、設定基準電圧未満の電圧が検出される時に点灯する低電圧警告用発光素子を含むことを特徴とする請求項１に記載の携帯型電気テスト装備。
【請求項５】
前記探針に着脱可能に結合する着脱結合部と延長ケーブルおよびこの延長ケーブルに連結する補助探針を含む延長探針手段をさらに含んで構成されることを特徴とする請求項１に記載の携帯型電気テスト装備。
【請求項６】
前記探針が指示する部位を照らすように配置された照明ランプをさらに含んで構成されることを特徴とする請求項１に記載の携帯型電気テスト装備。
【発明の詳細な説明】
【技術分野】
【０００１】
本発明は、携帯型電気テスト装備に関するものであり、より詳しくは測定待機状態を感知して、表示することのできる携帯型電気テスト装備に関する。
【背景技術】
【０００２】
周知のように、自動車の電気的な現象を点検する時は絶対的な数値より相対的な概念が導入されるのが一般的であり、電気的な要素が機械的な要素と共に連動する場合であれば、そのような傾向がより目立つようになる。
【０００３】
現場第一線の自動車整備士は、機械的な分野の知識に加えて、電気的な基礎常識程度をもって勤務することが大多数であるが、これは整備士の整備分野が機械的なパートの比重が相対的に大きいためといえる。
【０００４】
しかし、自動車にメカトロニクスが適用され始めた後、日々自動車に採用される電気／電子装備が増えている現時点において、電気／電子分野に対する整備技術は必須のものとなった。
【０００５】
このような現場の整備士が自動車の各電気／電子装備に対する電圧／周波数などをテストするために用いる簡単な装備として、ランプテスタとデジタルマルチメータなどが用いられている。
【０００６】
前記ランプテスタは、探針をテスト対象の端子に接触すれば、電圧、周波数などによってランプが点灯することにより、電圧、周波数などを直観的に認識することができるようにする装備であり、前記デジタルマルチメータは、探針をテスト対象の端子に接触すれば、抵抗、電流、電圧（ＡＣ／ＤＣ）等をデジタル方式で測定し、これを液晶やセグメント表示素子を介して表示する装備である。
【発明の開示】
【発明が解決しようとする課題】
【０００７】
しかし、従来のランプテスタとデジタルマルチメータなどは、探針をテスト対象の接地端子に接触する状態と、何れの端子にも接触しない回路オープン状態において、すべて零電位を示すことによって、現在の状態が探針を何れの端子にも接触しない回路オープン状態、即ち、測定待機状態であるか否かが分からないという問題点があった。
【０００８】
よって、本発明は、上記のような従来技術の問題点を解消するために案出したものであって、測定待機状態を感知して表示することのできる携帯型電気テスト装備を提供することにその目的がある。
【課題を解決するための手段】
【０００９】
本発明に係る携帯型電気テスト装備は、探針と、測定対象物の接地端に接続するための接地接続手段と、前記探針に印加される電圧が入力される電圧入力部と、前記電圧入力部に所定のレベルのテスト電圧を印加すると共に、前記電圧入力部から入力される電圧レベルが零電位以下であればグラウンド表示を、テスト電圧レベルであれば測定待機状態表示を、設定基準電圧以上であれば検出された電圧レベルの表示を行うための制御信号を出力する制御部と、前記制御部からの制御信号に応じて表示を行う表示手段とを含んで構成される。
【発明の効果】
【００１０】
本発明によれば、テスト電圧を電圧入力部に印加してテスト電圧に該当する電圧レベルが入力されれば、これを測定待機状態と認識してこれを表示するから、ユーザが測定待機状態を容易に認識することができる効果がある。
【発明を実施するための最良の形態】
【００１１】
以下、本発明の好ましい実施例を、添付した図面を参照して詳細に説明する。本発明の実施例は、本発明の権利範囲を制限することはなく、ただ説明のための目的として提供される。
【００１２】
図１は、本発明の好ましい実施例に係る携帯型電気テスト装備の外観図であり、同図面を参照すれば分かるように、本発明に係る携帯型電気テスト装備は、ユーザが手で握ることができるようにペン形態からなり、一端に探針（Ｐｒｏｂｅ）１１が取付けられ、他端に接地端接続用ジャック（図示せず）が備えられて、一側面に表示／操作パネル１２（図２参照）が備えられた本体１０と、この本体１０の接続用ジャックに着脱可能に結合するプラグ２１とケーブル２２および端子接続用ワニ口クリップ２３を含む接地接続手段２０とを含んで構成される。
【００１３】
そして、本発明は、本体の探針１１に着脱可能に結合する着脱結合部３１と延長ケーブル３２およびこの延長ケーブル３２に連結する補助探針３３を含む延長探針手段３０をさらに含むこともでき、これは選択的な事項であって、本発明を構成するための必須要素ではない。
【００１４】
前記本体１０には、図３に示すように、操作部１１０と、電圧入力部１２０と、制御部１３０と、測定表示ランプ部１４０と、セグメント表示部１５０と、モード表示ランプ部１６０と、照明ランプ部１７０、および、バッテリ（図示せず）が設置されている。
【００１５】
前記操作部１１０は、表示／操作パネル１２に備えられた複数の操作ボタン１１１，１１２を含み、これらの操作ボタン１１１，１１２が操作されれば、それに相応するキー信号を発生して制御部１３０に入力する。
【００１６】
前記電圧入力部１２０は、探針１１を介して測定される電圧を制御部１３０に入力すると共に、制御部１３０自体から出力される電圧を制御部１３０に入力するものであって、例えば、図４に示すように、演算増幅器１２１の非反転端子（＋）が複数の抵抗素子Ｒ１，Ｒ２およびキャパシタＣ１，Ｃ２からなる分圧および平滑回路１２２を介して電圧入力端に連結され、反転端子（−）が出力端子に直結して構成される公知の電圧フォロワ回路を用いることができる。参考として、符号Ｒ３は、演算増幅器１２１の出力端の素子保護用抵抗である。
【００１７】
前記制御部１３０は、電圧入力部１２０の入力端に抵抗Ｒ４とダイオードＤ０を介して設定レベルのテスト電圧（例えば、１Ｖ程度）を印加すると共に、電圧入力部１２０から入力される電圧レベルを検出し、検出された電圧レベルが零電位以下であればグラウンド（Ｇｒｏuｎｄ）表示を、テスト電圧レベルであれば測定待機状態表示を、設定基準電圧（例えば、３Ｖ程度）以上であれば検出された電圧レベルの表示を行うための制御信号を出力する。
【００１８】
前記測定表示ランプ部１４０は表示／操作パネル１２に配置される複数のランプ１４１〜１４３を含み、各ランプ１４１〜１４３は各々異なる色を発光する複数の発光ダイオードＤ１〜Ｄ９が備えられるが、各ランプ１４１〜１４３の発光ダイオードＤ１〜Ｄ９においては、制御部１３０の制御によって測定電圧に該当する発光ダイオードＤ１〜Ｄ９のうちの１つが発光するようになっている。
【００１９】
前記セグメント表示部１５０は、発光ダイオードなどの発光素子を用いて数字または文字を表示するための所定桁数のセグメントで構成して、表示／操作パネル１２に配置され、制御部１３０の制御によって電圧などの測定値とグラウンド状態または測定待機状態などの測定状態を表示するようになっている。
【００２０】
前記モード表示ランプ部１６０は測定モードを示すランプ１６１，１６２と設定基準電圧未満の低電圧を警告する低電圧警告ランプ１６３とを含み、各ランプ１６１〜１６３は制御部１３０の制御によって駆動する各発光ダイオード素子Ｄ１０，Ｄ１１，Ｄ１２により点灯されるようになっている。
【００２１】
前記照明ランプ部１７０は、表示／操作パネル１２に配置されるプッシュボタン１７１と、短絡防止用抵抗１７２、および、探針１１が設置された本体１０の端部に配置される発光ダイオード１７３を含んで構成される。
【００２２】
ここで、発光ダイオード１７３は、照明用として用いるものであり、十分な輝度を発生する必要があるが、高輝度発光ダイオード素子を用いることが好ましい。
【００２３】
参考として、上記のような本体１０に備えられた各構成部の接地端は、接地接続手段２０を介して測定対象物の接地端に接続するようになる。
【００２４】
上記のように構成された本発明の作用効果を添付する図面を参照して説明する。
【００２５】
まず、図５に示すように、ユーザが接地接続手段２０のプラグ２１を本体１０に結合した状態において、ワニ口クリップ２３を測定対象物の接地端（例えば、自動車バッテリの負電極または自動車車体）に噛ました後、操作ボタン１１２を操作して本体１０をオンにすれば、探針１１が測定対象物に接触しない状態であるため、制御部１３０から出力されるテスト電圧（例えば、１Ｖ程度）が電圧入力部１２０に入力される。
【００２６】
よって、制御部１３０は、図６に示すように、電圧入力部１２０からテスト電圧（例えば、１Ｖ程度）が入力されることを感知し、セグメント表示部１５０を介して測定待機状態であることを示すメッセージを表示する。
【００２７】
このような測定待機状態において、ユーザが探針１１を測定対象物の正電極に触れれば、測定対象物の正電極の電圧が電圧入力部１２０を介して制御部１３０に入力される。
【００２８】
この時、制御部１３０は、電圧入力部１２０から入力される電圧を設定基準電圧（例えば、３Ｖ程度）と比較し、比較の結果、入力電圧が設定基準電圧未満であれば、モード表示ランプ部１６０の低電圧警告ランプ１６３を点灯することによってユーザに低電圧状態を警告するようになる（図６参照）。
【００２９】
入力電圧が設定基準電圧以上であれば、制御部１３０はセグメント表示部１５０を介して検出された電圧を数字として表示すると共に、測定表示ランプ部１４０の発光ダイオードＤ１〜Ｄ９のうちの該当検出電圧を指示するようにあらかじめ設定された発光ダイオードを点灯することによって、ユーザが現在の検出電圧を直観的に容易に認知できるようになる。
【００３０】
ユーザが探針１１を測定対象物の負電極または接地端子に触れれば、電圧入力部１２０に零電位以下の電圧が入力されるため、制御部１３０はセグメント表示部１５０を介してグラウンド電位を示すメッセージ（例えば、「０．０」等）を表示すると共に、測定表示ランプ部１４０の発光ダイオードＤ１〜Ｄ９のうちの零電位を指示するようにあらかじめ設定された発光ダイオードを点灯する。
【００３１】
一方、測定対象物が暗くてよく見えない場合に、ユーザがプッシュボタン１７１を押せば照明ランプ部１７０の発光ダイオード１７３が点灯して、探針１１が指示する部位を照らすため、測定対象物の端子を確認しやすくなる。
【００３２】
このような本発明の携帯型電気テスト装備は、特に、自動車整備現場において、バッテリの性能試験、パワーウィンドウモータのテスト、インジェクタのテスト、パワートランジスタのテスト、スロットルポジションセンサのテスト、酸素センサのテスト、車速センサのテスト、エアフローセンサのテスト、エンジン始動用コントロールリレーのテスト、自動変速機用パルスジェネレータのテスト、ホイールスピードセンサのテスト、マップセンサ（ＭＡＰ  Ｓｅｎｓｏｒ：Ｍａｎｉｆｏｌｄ  Ａｂｓｏｌｕｔｅ  Ｐｒｅｓｓｕｒｅ  Ｓｅｎｓｏｒ）のテスト、インジェクションポンプの回転センサのテスト、アンテナの故障チェック、ホーン（Ｈｏｒｎ）のテスト、ワイパーテストなど、自動車の各種センサおよび電気／電子機構をテストする時に有用である。
【００３３】
上記において、本発明は、特定実施例を例示して説明するが、本発明が上述の実施例に限定されるものではない。当業者は、本発明に対する多様な変形、修正を容易にすることができ、このような変形または修正が本発明の特徴を用いる限り本発明の範囲に含まれるものである。
【００３４】
特に、上記の本発明の実施例においては、電圧を測定して表示する構成だけを説明したが、これは本発明の要旨に関連した核心的な構成要素だけを例示したものであって、公知の技術を用いて、周波数、抵抗、電流などを測定して表示する技術的構成を含むこともできる。
【００３５】
上述したように、本発明によれば、テスト電圧を電圧入力部に印加してテスト電圧に該当する電圧レベルが入力されれば、これを測定待機状態と認識してこれを表示するから、ユーザが測定待機状態を容易に認識することができる効果がある。
【００３６】
さらに、本発明は、測定電圧によって複数のランプを選択的に点灯することによって、測定電圧を直観的に認知できる効果がある。
【図面の簡単な説明】
【００３７】
【図１】本発明の好ましい実施例に係る携帯型電気テスト装備の外観図である。
【図２】表示／操作パネルの平面図である。
【図３】図１に示された本体の回路構成図である。
【図４】図３に示された電圧入力部の回路構成図である。
【図５】本発明の使用例を示す図面である。
【図６】入力電圧による本発明の動作を説明するためのタイミングチャートである。
【符号の説明】
【００３８】
１１    探針
２０    接地接続手段
３０    延長探針手段
３１    着脱結合部
３２    延長ケーブル
３３    補助探針
１２０    電圧入力部
１３０    制御部
１５０    セグメント表示部
【図１】
2007512527.tif 000003
【図２】
2007512527.tif 000004
【図３】
2007512527.tif 000005
【図４】
2007512527.tif 000006
【図５】
2007512527.tif 000007
【図６】
2007512527.tif 000008
【国際調査報告】
2007512527.tif 000009
2007512527.tif 000010